(57)【特許請求の範囲】
【請求項１】
光源と光源を点灯させる点灯手段とを有する照明器具と、被照射面の照度を検出する明るさ検出手段、又は前記明るさ検出手段と所定空間の人体の有無を検出する人体検出手段と、前記明るさ検出手段又は前記人体検出手段の検出値を受けて前記光源の光出力を制御する制御部とを備える照明装置において、前記制御部は、前記明るさ検出手段及び前記人体検出手段以外の外部より入力される外部信号による前記光源の光出力制御を、前記明るさ検出手段又は前記人体検出手段の検出値による前記光源の光出力制御の少なくとも一方より優先するとともに、前記明るさ検出手段によって測定される前記外部信号オフ時の被照射面の照度が前記明るさ検出手段又は前記人体検出手段による制御レベルよりも高ければ、所定時間だけ前記光源を前記制御レベルよりも被照射面の照度が低い照度となるように低輝度点灯させるとともに所定時間経過後は前記明るさ検出手段又は前記人体検出手段による制御レベルまで前記光源の光出力をフェードインさせ、前記外部信号オフ時の被照射面の照度が前記明るさ検出手段又は前記人体検出手段による制御レベルよりも低ければ、所定時間だけ前記光源を前記制御レベルよりも被照射面の照度が高い照度となるように高輝度点灯させるとともに所定時間経過後は前記明るさ検出手段又は前記人体検出手段による制御レベルまで前記光源の光出力をフェードアウトさせるものであることを特徴とする照明装置。
【請求項２】
前記光源の光出力は連続的に変化するものであることを特徴とする請求項１に記載の照明装置。
【請求項３】
前記光源の光出力は段階的に変化するものであることを特徴とする請求項１に記載の照明装置。
【請求項４】
前記外部信号は、タイムスケジュール信号であることを特徴とする請求項１乃至請求項３のいずれか１項に記載の照明装置。
【請求項５】
複数の前記外部信号は、互いに優先順位を有するものであることを特徴とする請求項１乃至請求項４のいずれか１項に記載の照明装置。
【発明の詳細な説明】
【０００１】
【発明の属する利用分野】
本発明は照明装置に関するものであり、更に詳しくは、外部信号（例えば火災報知手段）と連動して必要な制御を行う照明装置に関する。
【０００２】
【従来の技術】
本発明に係る従来例のブロック構成図を図１２に示す。
【０００３】
本ブロック構成図は、被照射面の照度を検出する照度センサ（以下、明るさ検出手段と呼ぶ。）の出力信号Ｌに応じて被照射面の照度が目標照度値になる様に制御する制御部を示したものである。外部信号としてのタイマ信号Ｔａがｏｎの場合は、設定手段Ａに設定に基づいて制御がなされ、外部信号としてのタイマ信号Ｔａがｏｆｆの場合は、設定手段Ｂに設定に基づいて制御がなされる。例えば、タイマ信号Ｔａがｏｎの場合は、被照射面の照度が明るくなる方向に制御がなされ、タイマ信号Ｔａがｏｆｆの場合は、被照射面の照度が暗くなる方向に制御がなされる。
【０００４】
【発明が解決しようとする課題】
しかし、上記従来例では、以下に示す様な問題点が生じてしまう。
【０００５】
上記従来例は、設定手段Ａと設定手段Ｂとの設定に基づく制御共、１つの明るさ検出手段の出力信号Ｌに基づくものであり、設定手段Ａと設定手段Ｂとで目標照度値が異なる。よって、図１３のブロック構成図に示す様に、外部からの信号に対する強制制御や手動制御に対しては切りかえ手段１１が必要となってしまう、という第１の問題点が生じてしまう。
【０００６】
また、他システムと連動して必要な制御を行う為には、アドレス端末などを設けて、連動制御内容を全て設定しなければならなくなってしまう、という第２の問題点が生じてしまう。
【０００７】
本発明は、上記全ての問題点に鑑みてなされたものであり、その目的とするところは、簡単な構成により、外部信号と連動して必要な制御を行うことが可能な照明装置を低コストで提供することである。
【０００８】
【課題を解決するための手段】
上記問題点を解決するために、請求項１記載の発明によれば、光源と光源を点灯させる点灯手段とを有する照明器具と、被照射面の照度を検出する明るさ検出手段、又は前記明るさ検出手段と所定空間の人体の有無を検出する人体検出手段と、前記明るさ検出手段又は前記人体検出手段の検出値を受けて前記光源の光出力を制御する制御部とを備える照明装置において、前記制御部は、前記明るさ検出手段及び前記人体検出手段以外の外部より入力される外部信号による前記光源の光出力制御を、前記明るさ検出手段又は前記人体検出手段の検出値による前記光源の光出力制御の少なくとも一方より優先するとともに、前記明るさ検出手段によって測定される前記外部信号オフ時の被照射面の照度が前記明るさ検出手段又は前記人体検出手段による制御レベルよりも高ければ、所定時間だけ前記光源を前記制御レベルよりも被照射面の照度が低い照度となるように低輝度点灯させるとともに所定時間経過後は前記明るさ検出手段又は前記人体検出手段による制御レベルまで前記光源の光出力をフェードインさせ、前記外部信号オフ時の被照射面の照度が前記明るさ検出手段又は前記人体検出手段による制御レベルよりも低ければ、所定時間だけ前記光源を前記制御レベルよりも被照射面の照度が高い照度となるように高輝度点灯させるとともに所定時間経過後は前記明るさ検出手段又は前記人体検出手段による制御レベルまで前記光源の光出力をフェードアウトさせるものであることを特徴とする。
【００１４】
請求項２記載の発明によれば、光源の光出力は連続的に変化するものであることを特徴とする。
【００１５】
請求項３記載の発明によれば、光源の光出力は段階的に変化するものであることを特徴とする。
【００１６】
請求項４記載の発明によれば、外部信号は、タイムスケジュール信号であることを特徴とする。
【００１７】
請求項５記載の発明によれば、複数の外部信号は、互いに優先順位を有するものであることを特徴とする。
【００１８】
【実施の形態】
（実施の形態１）
本発明に係る第１の実施の形態のブロック構成図を図１に、その動作波形図を図１に示す。
【００１９】
本構成は、光源を有する照明器具１と、被照射面の照度を検出する明るさ検出手段２と、ある空間の人体の有無を検出する人体検出手段５と、明るさ検出手段２及び人体検出手段５で検出された値を受けて被照射面の照度が目標照度値になる様に光源の光出力を制御する制御部３と、制御部３の制御の設定を行う設定手段４とから構成され、あるレベルの外部信号６が入力されると、明るさ検出手段２及び人体検出手段５からの信号を無視して外部信号６に対応する様に光源の光出力を制御するものである。ここで、制御部３は、光源の光出力を制御する為の目標照度値や光出力の範囲などの様な制御に必要な設定を記憶する記憶手段を有する。また、設定手段４は、制御部３の制御モード切替手段と、光源の光出力を調整する光出力調整手段とを有する。
【００２０】
次に、図２を用いて動作を簡単に説明する。
人体検出手段５が人体を検知しており、且つ外部信号入力がない場合は、被照射面の照度が目標照度範囲内になる様に、明るさ検出手段２の検出値を基に光源の光出力を制御している、つまり、予め設定された検出値を明るさ検出手段２が得られる様に明るさ検出手段２によるフィードバック制御（以下、センサモードと呼ぶ。）がなされている。外部信号入力が有る場合は、明るさ検出手段２及び人体検出手段５よる制御が無視されて、予め決められた点灯状態になる。例えば、図２（ｃ）に示す様に、外部信号１（例えば非常時の火報）の入力があると１００％点灯となり、図２（ｄ）に示す様に、外部信号２（例えば夜間のタイマ制御）の入力があると０％点灯となり、図２（ｅ）に示す様に、外部信号３（例えば昼休み時間）の入力があると最下限値点灯となり、図２（ｆ）に示す様に、外部信号４の入力があるとａ％点灯（ａは任意の正数）となる。なお、ここでは外部信号１、２、３、４の順で優先とした。
【００２１】
（実施の形態２）
本発明に係る第２の実施の形態の動作波形図を図３に示す。
【００２２】
図２に示した第１の実施の形態と異なる点は、外部信号４の代わりに外部調光信号としたことであり、その他の第１の実施の形態と同一構成には同一符号を付すことにより説明を省略する。本実施の形態では、外部調光信号入力がスレッショルドレベルＶ１を越えると、明るさ検出手段２による制御が無視されて、外部調光信号による制御に切り替わり、照明による任意の演出が可能となる。
【００２３】
（実施の形態３）
本発明に係る第３の実施の形態の動作波形図を図４に示す。
【００２４】
図２に示した第１の実施の形態と異なる点は、ある外部信号入力があれば、制御するための検出手段が切り替わる様にしたことであり、その他の第１の実施の形態と同一構成には同一符号を付すことにより説明を省略する。
【００２５】
例えば、図４（ｄ）に示す様に、外部信号１が入力されると、人体検出手段５による制御を停止して明るさ検出手段２による制御のみとし、図４（ｅ）に示す様に、外部信号２が入力されると、明るさ検出手段２による制御を停止して人体検出手段５による制御のみとし、図４（ｆ）に示す様に、外部信号３が入力されると、明るさ検出手段２の感度が切り替わる、あるいは別の明るさ検出手段２による制御に切り替わる。なお、ここでは外部信号１、２、３の順で優先とした。また、人体検出手段５のみによる制御では、人体検知有りの場合には１００％点灯、人体検知無しの場合には調光下限点灯としているが、これに限らなくても構わない。
【００２６】
（実施の形態４）
本発明に係る第４の実施の形態を以下に示す。
【００２７】
図２及び図３に示した第１及び第２の実施の形態と異なる点は、外部信号がｏｎからｏｆｆへと切り替わる場合に、明るさ検出手段２及び人体検出手段５による制御レベルまで光源の光出力がフェードインあるいはフェードアウトする様にしたことであり、その他の第１及び第２の実施の形態と同一構成には同一符号を付すことにより説明を省略する。
【００２８】
例えば、外部信号１によって１００％点灯していたのが、外部信号１がｏｎからｏｆｆへと切り替わることによって解除されると、人体検知有れば、被照射面が目標照度値になるまでフェードアウトし、人体検知無ければ、非検知状態の点灯レベルまでフェードアウトする。また、外部信号２によって０％点灯していたのが、外部信号２がｏｎからｏｆｆへと切り替わることによって解除されると、人体検知有れば、被照射面が目標照度値になるまでフェードインし、人体検知無ければ、非検知状態の点灯レベルまでフェードインする。
【００２９】
（実施の形態５）
本発明に係る第５の実施の形態の動作波形図を図５に示す。
【００３０】
図２乃至図４に示した第１乃至第３の実施の形態と異なる点は、外部信号がｏｎからｏｆｆへと切り替わってから所定時間だけ１００％点灯あるいは０％点灯の後、明るさ検出手段２及び人体検出手段５による制御レベルまで光源の光出力がフェードアウトあるいはフェードインする様にしたことであり、その他の第１乃至第３の実施の形態と同一構成には同一符号を付すことにより説明を省略する。この様に構成することにより、外部信号がｏｎからｏｆｆへと切り替わることを報知することができる。なお、外部信号がｏｎからｏｆｆへと切り替わる場合に、所定時間だけ点滅してもよい。
【００３１】
（実施の形態６）
本発明に係る第６の実施の形態の動作波形図を図６に示す。
【００３２】
図２乃至図４に示した第１乃至第３の実施の形態と異なる点は、外部信号がｏｎからｏｆｆへと切り替わってから所定時間だけ１００％点灯あるいは０％点灯の後、切り替わるときの被照射面の照度と明るさ検出手段２及び人体検出手段５による制御レベルとの比較結果に応じて、明るさ検出手段２及び人体検出手段５による制御レベルまで光出力がフェードアウトあるいはフェードインする様にしたことであり、その他の第１乃至第３の実施の形態と同一構成には同一符号を付すことにより説明を省略する。
【００３３】
つまり、切り替わるときの照度の方が高い場合は、外部信号がｏｎからｏｆｆへと切り替わってから所定時間だけ０％点灯の後、明るさ検出手段２及び人体検出手段５による制御レベルまで光源の光出力がフェードインし、切り替わるときの照度の方が低い場合は、外部信号がｏｎからｏｆｆへと切り替わってから所定時間だけ１００％点灯の後、明るさ検出手段２及び人体検出手段５による制御レベルまで光源の光出力がフェードアウトする。
【００３４】
例えば、外部信号がｏｎからｏｆｆへと切り替わることによって解除されたときに、人体検知有りによる制御、又は人体検知無しで明るさ検出手段２により被照射面照度が目標照度値になる様な制御がなされているとする。外部信号による強制点灯状態の場合、明るさ検出手段２及び人体検出手段５による制御レベルよりも被照射面照度が暗いことを明るさ検出手段２が検知していれば、外部信号がｏｎからｏｆｆへと切り替わってから所定時間だけ１００％点灯の後、明るさ検出手段２及び人体検出手段５による制御レベルまで光源の光出力がフェードアウトする。また、外部信号による強制点灯状態の場合、明るさ検出手段２及び人体検出手段５による制御レベルよりも被照射面照度が明るいことを明るさ検出手段２が検知していれば、外部信号がｏｎからｏｆｆへと切り替わってから所定時間だけ０％点灯の後、明るさ検出手段２及び人体検出手段５による制御レベルまで光源の光出力がフェードインする。
【００３５】
更に、例えば、外部信号がｏｎからｏｆｆへと切り替わることによって解除されたときに、人体検知無しによる制御、又は人体検知有りで明るさ検出手段２の機能がオフされていて低光出力制御状態であるとする。外部信号による強制点灯状態の場合、光源の光出力が低光出力制御状態よりも低いときは、外部信号がｏｎからｏｆｆへと切り替わってから所定時間だけ１００％点灯の後、低光出力制御状態まで光源の光出力がフェードアウトする。また、外部信号による強制点灯状態の場合、光源の光出力が低光出力制御状態よりも高いときは、外部信号がｏｎからｏｆｆへと切り替わってから所定時間だけ０％点灯の後、低光出力制御状態まで光源の光出力がフェードインする。
【００３６】
この様に構成することにより、外部信号がｏｎからｏｆｆへと切り替わることを報知することができる。なお、外部信号がｏｎからｏｆｆへと切り替わる場合に、所定時間だけ点滅してもよい。
【００３７】
（実施の形態７）
本発明に係る第７の実施の形態の動作波形図を図７に示す。
【００３８】
図２に示した第１の実施の形態と異なる点は、外部信号がタイムスケジュール管理されている点であり、その他の第１の実施の形態と同一構成には同一符号を付すことにより説明を省略する。
【００３９】
例えば、外部信号１はＡＭ８：００からＰＭ６：００まではｏｆｆ、その他はｏｎとし、外部信号２はＡＭ８：００からＰＭ１０：００まではｏｆｆ、その他はｏｎとする。外部信号１及び外部信号２がｏｆｆであるＡＭ８：００からＰＭ６：００までは、人体検知が有ると、被照射面が目標照度値になる様に光出力を制御し、人体検知が無いと３０％点灯となる。外部信号１がｏｎで外部信号２がｏｆｆであるＰＭ６：００からＰＭ１０：００まででは、人体検知が有ると、被照射面が目標照度値になる様に光出力を制御し、人体検知が無いと１０％点灯となる。外部信号１及び外部信号２がｏｎであるＰＭ１０：００からＡＭ８：００まででは、人体検知が有ると、被照射面が所定の照度になる様に光出力を制御し、人体検知が無いと０％点灯となる。
【００４０】
この様に構成したことにより、時間帯に応じた制御が可能となる。
なお、上記全ての実施の形態においては、図１に示すブロック構成図を適用したが、場合に応じて、図８に示す様に人体検出手段５が無いブロック構成や、図９に示す様に設定手段４と人体検出手段５とが無いブロック構成や、図１０に示す様に設定手段４が無いブロック構成や、図１１に示す様に明るさ検出手段２と設定手段４とが無いブロック構成でも構わない。また、外部信号の制御内容は予め設定されていても構わないし、スイッチ操作などで随時指定するものでも構わない。
【００４１】
【発明の効果】
請求項１乃至請求項３の何れかに記載の発明によれば、簡単な構成により、外部信号と連動して必要な制御を行うことが可能で、外部信号により制御内容を簡単に変更可能で、機能付加が容易に可能な照明装置を低コストで提供できる。また、外部信号がオフされたことを報知することが可能で、明順応あるいは暗順応可能な照明装置を提供できる。
【００４５】
請求項４及び請求項５に記載の発明によれば、請求項１乃至請求項３の何れかに記載の発明の効果に加えて、タイムスケジュール制御が可能な照明装置を提供できる。
【図面の簡単な説明】
【図１】本発明に係る第１のブロック構成図を示す。
【図２】本発明に係る第１の実施の形態の動作波形図を示す。
【図３】本発明に係る第２の実施の形態の動作波形図を示す。
【図４】本発明に係る第３の実施の形態の動作波形図を示す。
【図５】本発明に係る第５の実施の形態の動作波形図を示す。
【図６】本発明に係る第６の実施の形態の動作波形図を示す。
【図７】本発明に係る第７の実施の形態の動作波形図を示す。
【図８】本発明に係る第２のブロック構成図を示す。
【図９】本発明に係る第３のブロック構成図を示す。
【図１０】本発明に係る第４のブロック構成図を示す。
【図１１】本発明に係る第５のブロック構成図を示す。
【図１２】本発明に係る従来例のブロック構成図を示す。
【図１３】本発明に係る従来例の別のブロック構成図を示す。
【符号の説明】
１    照明器具
２    明るさ検出手段
３    制御部
５    人体検出手段
【図１】
0003736025.tif 000002
【図２】
0003736025.tif 000003
【図３】
0003736025.tif 000004
【図４】
0003736025.tif 000005
【図５】
0003736025.tif 000006
【図６】
0003736025.tif 000007
【図７】
0003736025.tif 000008
【図８】
0003736025.tif 000009
【図９】
0003736025.tif 000010
【図１０】
0003736025.tif 000011
【図１１】
0003736025.tif 000012
【図１２】
0003736025.tif 000013
【図１３】
0003736025.tif 000014